(57)【要約】【課題】人間及び動物における筋膜の欠損によって誘発される痛みを治療するための手持ち式マシンを提供する。【解決手段】本発明は、手持ち式マシン（１０、２８）、並びに、人間及び動物における筋膜の欠損の治療に適合されている方法に関する。マシン（１０、２８）は、モータ駆動装置（２２）、及び、所定の低い周波数において往復して突き出すプランジャ（３０）に動作するカム伝動装置（２６）によって波カムを生成するように駆動されるモータ（２４）を有する。【選択図】図２
2017517352.tif 000002
【特許請求の範囲】
【請求項１】
人間及び動物における筋膜の欠損の治療に適合されている手持ち式マシン（１０、２８）であって、制御ユニット（２０）によって制御されるモータ電源（２２）、及び、所定の低い周波数において往復して突き出すプランジャ（３０）に対して動作する伝動装置によって波カム（２６）を生成するように駆動されるモータ（２４）を有し、前記周波数は、１Ｈｚ〜６０Ｈｚの範囲内であり、前記往復の突き出しには時間期間があり、該手持ち式マシンは、
デュアル周波数波モード（１４）、固定周波数パターン波モード（１６）及び確率周波数パターン波モード（１８）である少なくとも３つのモードで動作するプランジャ（３０）の周波数制御回路（１２）であって、前記モードは、該マシン（１０、２８）のユーザによってプログラミングされるコンピュータプログラムによって誘発される、プランジャ（３０）の周波数制御回路（１２）
を備え、
前記デュアルモード（１４）は、１Ｈｚ〜６０Ｈｚの前記範囲、及び、前記往復の突き出しの予め設定された時間期間内で、前記低い周波数から、予め設定されたより高い及びより低い周波数を生成し、
前記予め設定された固定周波数パターン波モード（１６）は、１Ｈｚ〜６０Ｈｚの前記範囲、及び、前記往復の突き出しの予め設定された時間期間内で、２つ及び３つの周波数のうちの少なくとも１つから必要な周波数パターンを形成するように生成され、
前記確率（１８）波モードは、前記プランジャ（３０）が該確率モード（１８）においてランダム周波数のシーケンス及び時間で動作するのであれば、１Ｈｚ〜６０Ｈｚの前記範囲、及び、前記往復の突き出しの時間内で、２つの予め設定された周波数のうちの少なくとも１つで動作する周波数波パターンを形成するように生成される、手持ち式マシン。
【請求項２】
マシン（１０、２８）であって、前記時間期間は、前記予め設定された時間期間の場合、０．５秒〜５秒の間に設定される、請求項１に記載のマシン。
【請求項３】
マシン（１０、２８）であって、前記高い及び低い予め設定された周波数は、同じ値に設定される場合、安定した周波数を生成する、請求項１に記載のマシン。
【請求項４】
人間及び動物における筋膜の欠損の治療に適合されている手持ち式マシン（１０、２８）を動作させる方法であって、前記マシン（１０、２８）は、制御ユニット（２０）によって制御されるモータ電源（２２）、及び、所定の低い周波数において往復して突き出すプランジャ（３０）に対して動作する伝動装置によって波カム（２６）を生成するように駆動されるモータ（２４）を有し、前記周波数は、１Ｈｚ〜６０Ｈｚの範囲内であり、前記往復の突き出しには時間期間があり、該方法は、
デュアル周波数パターン波モード（１４）、固定周波数パターン波モード（１６）及び確率周波数パターン波モード（１８）である少なくとも３つのモードで動作する周波数制御回路（１２）によってプランジャ（３０）を制御することであって、前記モードは、コンピュータプログラムによって誘発され、前記マシン（１０、２８）のユーザによってプログラミングされる、制御すること、
前記デュアルモード（１４）によって、１Ｈｚ〜６０Ｈｚの前記範囲、及び、前記往復の突き出しの予め設定された時間期間内で、前記低い周波数から、予め設定されたより高い及びより低い周波数を生成すること、
１Ｈｚ〜６０Ｈｚの前記範囲、及び、前記往復の突き出しの予め設定された時間期間内で、２つ及び３つの周波数のうちの少なくとも１つから必要なパターンを形成するように、前記予め設定された固定周波数パターン波モード（１６）を生成すること、
前記プランジャ（３０）が前記確率周波数パターン波モードにおいてランダム周波数のシーケンス及び時間期間で動作するのであれば、１Ｈｚ〜６０Ｈｚの前記範囲、及び、前記往復の突き出しの予め設定された時間期間内で、２つの予め設定された周波数のうちの少なくとも１つで動作する周波数パターンを形成するように、前記確率周波数パターンモード（１８）の波を生成すること、並びに
前記周波数及び時間期間を、欠損した筋膜スポットに結合する筋膜の経路全体を治療するように適合すること
を含む、方法。
【請求項５】
前記時間期間は、前記予め設定された時間期間の場合、０．５秒〜５秒である、請求項４に記載の方法。
【請求項６】
前記高い及び低い予め設定された周波数は、同じ値に設定される場合、安定した周波数を生成する、請求項１に記載の方法。
【発明の詳細な説明】
【技術分野】
【０００１】
本発明は、手持ち式マシン、並びに、人間及び動物における筋膜の欠損の治療に適合されている方法に関する。
【背景技術】
【０００２】
新たな科学的な研究は、筋膜／筋肉結合組織、並びに、人間及び哺乳類等の動物の双方における身体の負担に対するその影響に焦点を当てている。筋膜は例えば、足から頭まで筋肉を囲んでいる。
【０００３】
人間及び動物から皮膚が取り除かれる場合、筋膜の第１の層は浅筋膜であり、次の層はスカルパ筋膜であり、次いで深在筋膜である。これらの層は、互いに付着する／くっつく可能性があり、頭痛、背痛、膝の痛み、首の痛み、及び、繰り返しの動き、殴打、間違った体位によって酷使された身体のほぼ全ての場所における痛み、他の損傷等といった、身体への痛みを伴う問題を引き起こす欠損を生じる。また、痛み及び筋膜の欠損は、筋膜が穿刺され、したがって、筋膜層が互いに付着するか又は捩れて痛みを引き起こす可能性がある手術からそれらの問題を有する可能性がある。
【０００４】
損傷から誘発される痛みは、筋膜に沿って、損傷が実際に生じた場所から離れて他の身体部分に広がる可能性がある。筋膜損傷の現在の治療は、ほぼ全体的に、皮膚のマッサージ、並びに／又は、筋肉及び／若しくは靭帯、又は、捩れた／異所性の腱を柔らかくするために損傷を受けたスポットに打ちつける／強打するプランジャを有するマシンによる衝撃波治療によって、損傷が生じた実際のスポットを治癒するような方向性である。
【０００５】
衝撃波マシンは、特許文献１によって開示されており、これは、損傷を受けた身体のスポットの言及したマッサージ治療に使用される。
【０００６】
Ｆａｕｎａ  Ｃｏｍｍｕｎｉｃａｔｉｏｎｓによって行われた２００６年の研究では、研究者らは、猫が喉を鳴らす周波数（２５Ｈｚ〜１４０Ｈｚ）が、骨成長及び骨折の治癒、痛みの軽減、腫れの低減、創傷の治癒、筋肉の成長及び修復、腱の修復並びに関節の可動性に治療効果がある同じ周波数を搬送することを発見した。
【０００７】
リンクwww.youtube.com/watch?v=vlFDwDdGnhQは、筋膜の重要性、及び、筋膜の機能の現在の所見について示している。
【先行技術文献】
【特許文献】
【０００８】
【特許文献１】米国特許出願公開第２０１／３２６１５１６号明細書
【発明の概要】
【発明が解決しようとする課題】
【０００９】
本発明は、特に、人間及び動物における筋膜の欠損によって誘発される痛みを治療するための手持ち式マシンを提供するという１つの目的を有する。これによって、マシンは、損傷を受けた筋膜スポットに結合される筋筋膜の筋／経路全体、すなわち、損傷を受けたスポットのみではない深波治療に使用される。この目的を達成することを可能にするために、筋膜は、筋膜においてマシン波の治療が適用される場所に応じて、様々な周波数を用いて治療されなければならない。適用される周波数は、例えば１Ｈｚ〜６０Ｈｚの範囲等のヘルツスケールのより低い範囲であるべきであり、これは、深波治療が、局所的な標的治療マッサージ及び／又は衝撃波治療に到達可能な上側層だけではなく、筋肉を囲む筋膜に到達することを可能にする。衝撃波治療は、不適切に使用される場合、良好どころか更なるダメージを引き起こす可能性がある。また、本発明は、使用される周波数による動作の異なる時間期間を提供する。
【課題を解決するための手段】
【００１０】
したがって、本発明は、人間及び動物における筋膜の欠損の治療に適合されている手持ち式マシンを記載し、マシンは、モータ駆動装置、及び、所定の低い周波数において往復して突き出すプランジャに対して動作する伝動装置によって波カムを生成するように駆動されるモータを有し、
デュアルモード、固定パターンモード及び確率パターンモードである少なくとも３つのモードで動作するプランジャの周波数制御回路であって、これらのモードは、コンピュータプログラムの少なくとも１つによって誘発され、マシンのユーザによってプログラミングされる、プランジャの周波数制御回路を備え、
デュアルモードは、低い周波数及び予め設定された時間期間から予め設定されたより高い及びより低い周波数を生成し、
予め設定された固定パターン波モードは、２つ及び３つの周波数並びに時間の少なくとも１つから必要なパターンを形成するように生成され、
確率パターン波は、プランジャが確率モードにおいてランダム周波数の連続的なシーケンス及び時間で動作するのであれば、２つの予め設定された周波数及び時間のうちの少なくとも１つで動作するパターンを形成するように生成される。
【００１１】
本発明の１つの実施形態では、より低い周波数領域は、１Ｈｚ〜６０Ｈｚであり、時間期間は、予め設定された時間期間の場合、０．５秒〜５秒である。
【００１２】
別の実施形態は、予め設定された高い及び低い周波数が、同じ値に設定される場合に、安定した周波数を生成することを提供する。
【００１３】
さらに、本発明は、人間及び動物における筋膜の欠損の治療に適合されている手持ち式マシンの方法を記載し、マシンは、モータ駆動装置、及び、所定の低い周波数において往復して突き出すプランジャに対して動作する伝動装置によって波カムを生成するように駆動されるモータを有し、当該方法は、
デュアルモード、固定パターンモード及び確率モードである少なくとも３つのモードで動作する周波数制御回路によってプランジャを制御することであって、これらのモードは、コンピュータプログラムの少なくとも１つによって誘発され、マシンのユーザによってプログラミングされる、制御すること、
デュアルモードによって、低い周波数及び予め設定された時間期間から予め設定されたより高い及びより低い周波数を生成すること、
２つ及び３つの周波数並びに時間の少なくとも１つから必要なパターンを形成するように、予め設定された固定パターン波モードを生成すること、
プランジャが確率モードにおいてランダム周波数の連続的なシーケンス及び時間で動作するのであれば、２つの予め設定された周波数及び時間のうちの少なくとも１つで動作するパターンを形成するように、確率パターン波を生成すること、並びに
周波数及び時間期間を、欠損した筋膜スポットに結合する筋膜の経路全体を治療するように適合すること
を含む。
【００１４】
本発明の添付の従属する方法の請求項は、添付の従属するマシンの請求項を踏襲する。
【００１５】
これ以降、本発明の実施形態及び所与の例のより良い理解のために、本明細書を通して添付の図面を参照する。
【図面の簡単な説明】
【００１６】
【図１】本発明による、１つの実施形態におけるマシンのブロック図を概略的に示す図である。
【図２】本発明による、１つの実施形態における、図１のマシンを１つの可能な実際の見た目で概略的に示す図である。
【発明を実施するための形態】
【００１７】
本発明は、人間及び哺乳類等の動物における筋膜の欠損によって誘発される痛みを治療するための手持ち式マシンに関する。これによって、マシンは、損傷を受けた筋膜スポットに結合される筋膜の筋全体、すなわち、損傷を受けたスポットのみではない深波治療に使用される。この目的を達成するために、筋膜は、筋膜においてマシン波の治療が適用される場所に応じて、様々な周波数を用いて治療されなければならない。適用される周波数は、例えば１Ｈｚ〜６０Ｈｚの範囲等のヘルツスケールのより低い範囲であるべきであり、これは、波治療が、局所的な標的治療マッサージ及び／又は衝撃波治療に到達可能な上側層だけではなく、筋肉を囲む筋膜に到達することを可能にする。衝撃波治療は、不適切に使用される場合、良好どころか更なるダメージを引き起こす可能性がある。また、本発明は、使用される周波数の動作の異なる時間期間を提供する。したがって、治療は、例えば、スーパーフィシャルバックライン、スーパーフィシャルフロントライン、ファンクショナルライン、スーパーフィシャルフロントアームラインにおける筋膜及び筋筋膜の変化に関する。
【００１８】
スーパーフィシャルバックラインを全体として理解することは、ハムストリングのみを考慮することからは得ることができないハムストリングの問題に対する洞察を与える。スパイラルラインは、いずれの単一の筋肉の分析も与えることができない方法で、回転補正を解決する方法を示す。したがって、本発明の深波治療マシンは、筋膜が損傷を受けた場所だけではなく、筋筋膜経路に沿って展開される。例えば、肩は６つの筋筋膜経路を伴う。
【００１９】
筋膜及び筋筋膜は、全身に形状を提供するとともに、細胞間通信及び細胞代謝に関与する身体組織である。筋膜は、細胞のマトリックスのようなものである。筋膜は、我々をまとめる生物学的な生地である。人間は、相対的に調和して全てハミングする約７０兆個の細胞を有し、筋膜は、細胞を全てそれらの適切な配置でまとめる、線維状で、膠質で湿ったタンパク質の３Ｄの蜘蛛の巣である。
【００２０】
さらに、筋膜はより広い定義を有し、細胞外マトリックス（ＥＣＭ）のそのネットワークを形成するとともに維持する細胞を含む、身体内の全てのコラーゲンベースの軟組織である。その定義は、従来の解剖学において「筋膜」として従来から指定されている全ての組織プラス全ての他の実際の、腱、靭帯、嚢、並びに、筋内膜、筋周膜、筋外膜内及び周りの全ての筋膜を含む。同様に含まれるのは、臓器の周りの筋膜、自身の腹腔において腹膜及び腸間膜に臓器を保持する体腔の袋、縦隔、心膜、及び、胸腔において臓器を保持する胸膜、並びに、脳、脊髄及び末梢神経を囲む硬膜及び軟膜及び神経周膜である。
【００２１】
筋膜がその張力を失う場合、全身が胎位になる。
【００２２】
「Anatomy Trains, Myofascial Meridians for Manual & Movement for Therapists」（Thomas W. Meyers）という本を通して、治療における筋膜の重要性が教示されている。
【００２３】
本発明のマシンを用いた試験中のウマの筋膜の治療は、非常に成功し、幾つかの場合、２０分の治療セッションの間に脚の欠損を有するウマを治癒した。筋膜及びウマのマッサージについて更に知るには、リンクhttp://www.equine-equilibrium.com/myofascialrelease.phpにおいて見出すことができる。
【００２４】
図１は、本発明による１つの実施形態におけるマシン１０のブロック図を概略的に示している。操作者１２が、マシン１０のボタン／タッチパッド等を通じて、自身の選択するプログラム、又は、選ばれる治療セッションのための格納されているコンピュータプログラムを選択する。好ましくは、操作者が選択することができる少なくとも３つの動作モード１４、１６、１８がある。それらは、周波数及び時間期間が操作者１２によって選択され、マシン１０が動作する所定の周波数及び時間期間を有する格納されたパターンのコンピュータプログラムであるデュアルモード１４である。第２の固定パターン波モード１６が、２つ、３つ又はそれ以上の周波数及び時間から必要なパターンを形成するように生成される。さらに、第３のモードが、予めプログラミングされた確率モード１８から周波数及び時間期間をランダムに変更する確率モード１８として利用可能である。当然ながら、コンピュータ、マイクロコントローラ等をその必要な周辺機器とともにマシン１０に含め、プログラム及び言及した動作モードを実行することが予見される。
【００２５】
選択されるモードに応じて、制御ユニット２０が、治療中に使用されるときにマシン１０によって印加される速度、時間及び力をモニタリングすることによって、選んだ／選択した操作者１２の治療を実行する。制御ユニット２０によって制御されるモータ駆動装置２２が、モータ２４の制御を印加し、モータ２４は、伝動装置、例えば、図２に示されているプランジャ３０への波を生成するカム２６を駆動する。
【００２６】
図２では、図１におけるマシン１０、２８が、本発明による１つの可能な実際の見た目で示されている。したがって、マシン２８は、例えばカム２６（カムは示されていない）ほど単純な伝動装置を通じてモータ２４によって駆動されるプランジャ３０を有する。このカム２６は、設定された動作モード１４、１６、１８に従ってプランジャ３０に軸方向の往復移動を提供する。さらに、図２は、選択された動作モード１４、１６、１８に従って波マシン１０、２８の動作を予め設定するように使用されるボタンのセット３２を示している。同様に図２に示されているのは、電力をマシン１０、２８に送達する電源コード３４である。
【００２７】
さらに、マシン１０、２８は、本発明によって特許請求される使用方法によって使用され、２つのマシン１０、２８を、筋筋膜経路に追従するように、操作者１２のそれぞれの一方の手で保持して同時に使用することができる。
【００２８】
結合組織（筋膜、筋筋膜／浅筋膜チェーン）を通じた、本発明のマシン１０、２８を用いた深波マッサージは、動き等において筋肉の緊張及び他の合併症を除去する。例えば１Ｈｚ〜６０Ｈｚの範囲の低い周波数を、プランジャによって印加し、筋膜全体に到達する深い身体への波を生成するべきである。本発明は、言及した６０Ｈｚという最高の低い周波数に限定されず、幾つかの用途には僅かにより高い周波数を使用することができ、例えばネコは、健康を保つために１４０Ｈｚもの周波数を使用する。
【００２９】
添付の請求項のセットは、当該技術分野における当業者に対して、本発明の他の可能な実施形態を決定する。
【図１】
2017517352.tif 000003
【図２】
2017517352.tif 000004
【国際調査報告】
2017517352.tif 000005
2017517352.tif 000006
2017517352.tif 000007
2017517352.tif 000008